(57)【要約】      （修正有）【課題】記録媒体の種類に基づく記録物の分別処理におけるユーザーの負担が軽減される記録装置および記録方法を提供する。【解決手段】いずれかの積載部に排出される記録媒体Ｍが、第１の種類の記録媒体ＧＰであると特定されたことに基づいて、前記いずれかの積載部に排出される記録媒体が、記録が行われた前記第１の種類の記録媒体を積載可能な第１の積載部２４ａに排出されるように制御し、前記いずれかの積載部に排出される記録媒体が、第２の種類の記録媒体ＰＰであると特定されたことに基づいて、前記いずれかの積載部に排出される記録媒体が、記録が行われた前記第２の種類の記録媒体を積載可能な第２の積載部２４ｂに排出されるように制御する積載制御手段を有するようにした。【選択図】図１
2019085243.tif 000002
【特許請求の範囲】
【請求項１】
いずれかの積載部に排出される記録媒体が、第１の種類の記録媒体と、前記第１の種類の記録媒体と材質が少なくとも異なる第２の種類の記録媒体かを特定する特定手段と、
前記いずれかの積載部に排出される記録媒体が、前記第１の種類の記録媒体であると特定されたことに基づいて、前記いずれかの積載部に排出される記録媒体が、記録が行われた前記第１の種類の記録媒体を積載可能な第１の積載部に排出されるように制御し、前記いずれかの積載部に排出される記録媒体が、前記第２の種類の記録媒体であると特定されたことに基づいて、前記いずれかの積載部に排出される記録媒体が、記録が行われた前記第２の種類の記録媒体を積載可能な第２の積載部に排出されるように制御する積載制御手段を有する
ことを特徴とする制御装置。
【請求項２】
前記第１の種類の記録媒体は、前記第２の種類の記録媒体よりも記録剤が定着する時間が長いことを特徴とする請求項１に記載の制御装置。
【請求項３】
前記第１の種類の第１の記録媒体と、前記第１の種類の第２の記録媒体とに連続して記録が行われる場合、前記第１の種類の前記第１の記録媒体が前記第１の積載部に排出されてから、前記第１の種類の前記第２の記録媒体が前記第１の積載部に排出されるまでの間に、前記第１の種類の記録媒体に前記記録剤が定着する時間に応じた所定時間が空けられるように制御されることを特徴とする請求項２に記載の制御装置。
【請求項４】
前記第１の種類の記録媒体と、前記第２の種類の記録媒体とに連続して記録が行われる場合、前記第１の種類の記録媒体が前記第１の積載部に排出されてから、前記第２の種類の記録媒体が前記第２の積載部に排出されるまでの間に、前記所定時間が空けられるように制御されないことを特徴とする請求項３に記載の制御装置。
【請求項５】
前記第２の種類の第３の記録媒体と、前記第２の種類の第４の記録媒体とに連続して記録が行われる場合、前記第２の種類の前記第３の記録媒体が前記第２の積載部に排出されてから、前記第２の種類の前記第４の記録媒体が前記第２の積載部に排出されるまでの間に、前記所定時間が空けられるように制御されないことを特徴とする請求項３又は４に記載の制御装置。
【請求項６】
前記第１の積載部は、複数設けられることを特徴とする請求項１から５のいずれか１項に記載の制御装置。
【請求項７】
複数の前記第１の積載部のそれぞれにおいて、前記第１の種類の記録媒体の有無を検知可能な検知手段をさらに有することを特徴とする請求項６に記載の制御装置。
【請求項８】
前記積載制御手段は、前記第１の種類の記録媒体に連続して記録される記録媒体を、前記検知手段によって前記第１の種類の記録媒体の存在が検知されていない前記第１の積載部に排出することを特徴とする請求項７に記載の制御装置。
【請求項９】
前記積載制御手段は、前記第１の種類の記録媒体に連続して記録される記録媒体を、前記検知手段によって前記第１の種類の記録媒体の存在が検知されない前記第１の積載部がない場合には、前記検知手段によって前記第１の種類の記録媒体の存在が検知されてから、前記第１の種類の記録媒体に記録剤が定着する時間に応じた所定時間が経過している前記第１の積載部に排出することを特徴とする請求項７または８に記載の制御装置。
【請求項１０】
通知を行う通知手段をさらに有し、
前記通知手段は、前記検知手段により前記第１の種類の記録媒体の存在が検知された後に、前記第１の種類の記録媒体に記録剤が定着する時間に応じた所定時間が経過すると、前記第１の種類の記録媒体の回収を促す通知を行う
ことを特徴とする請求項７から９のいずれか１項に記載の制御装置。
【請求項１１】
前記第１の積載部には、記録媒体に記録剤を定着させるためのヒータが設けられることを特徴とする請求項１から１０のいずれか１項に記載の制御装置。
【請求項１２】
前記第１の種類の記録媒体への記録および前記第２の種類の記録媒体への記録は、各記録媒体に対応する複数の記録ジョブに基づいて実行されることを特徴とする請求項１から１１のいずれか１項に記載の制御装置。
【請求項１３】
前記第１の種類の記録媒体への記録および前記第２の種類の記録媒体への記録は、１つの記録ジョブに基づいて実行されることを特徴とする請求項１から１１のいずれか１項に記載の制御装置。
【請求項１４】
前記第１の種類の記録媒体は、光沢紙であることを特徴とする請求項１から１１のいずれか１項に記載の制御装置。
【請求項１５】
前記第２の種類の記録媒体は、普通紙であることを特徴とする請求項１から１２のいずれか１項に記載の制御装置。
【請求項１６】
前記第１の種類の記録媒体と前記第２の種類の記録媒体とを含む複数の記録媒体に対して記録剤を付与することで選択的に記録を行う記録手段をさらに有することを特徴とする請求項１から１５のいずれか１項に記載の制御装置。
【請求項１７】
第１の種類の記録媒体に対する記録と、前記第１の種類と材質が少なくとも異なる第２の種類の記録媒体に対する記録の両方を実行するための１つの記録ジョブを制御する制御装置であって、
前記１つの記録ジョブによって記録される前記第１の種類の記録媒体が、記録が行われた前記第１の種類の記録媒体を積載可能な第１の積載部に排出されるように制御し、前記１つの記録ジョブによって記録される前記第２の種類の記録媒体が、記録が行われた前記第２の種類の記録媒体を積載可能な第２の積載部に排出されるように制御する積載制御手段を有する
ことを特徴とする制御装置。
【請求項１８】
いずれかの積載部に排出される記録媒体が、第１の種類の記録媒体と、前記第１の種類と材質が少なくとも異なる第２の種類の記録媒体とを含む複数の記録媒体かを特定する特定ステップと、
前記いずれかの積載部に排出される記録媒体が、前記第１の種類の記録媒体であると特定されたことに基づいて、前記いずれかの積載部に排出される記録媒体が、記録が行われた前記第１の種類の記録媒体を積載可能な第１の積載部に排出されるように制御し、前記いずれかの積載部に排出される記録媒体が、前記第２の種類の記録媒体であると特定されたことに基づいて、前記いずれかの積載部に排出される記録媒体が、記録が行われた第２の積載部に排出されるように制御する制御ステップと
を有する
ことを特徴とする制御方法。
【請求項１９】
第１の種類の記録媒体に対する記録と、前記第１の種類と材質が少なくとも異なる第２の種類の記録媒体に対する記録の両方を実行するための１つの記録ジョブを制御する制御装置の制御方法であって、
前記１つの記録ジョブによって記録される前記第１の種類の記録媒体が、記録が行われた前記第１の種類の記録媒体を積載可能な第１の積載部に排出されるように制御し、前記１つの記録ジョブによって記録される前記第２の種類の記録媒体が、記録が行われた前記第２の種類の記録媒体を積載可能な第２の積載部に排出されるように制御する積載制御ステップを有する
ことを特徴とする制御方法。
【発明の詳細な説明】
【技術分野】
【０００１】
本発明は、異なる種類の複数の記録媒体を保持するとともに、保持した記録媒体に対して記録を行う制御装置および制御方法に関する。
【背景技術】
【０００２】
記録媒体に対する記録後の記録媒体を積載する積載部を制御する制御装置が知られている。こうした制御装置では、例えば、記録紙として、例えば、普通紙および光沢紙を同時に保持し、これら種類の異なる複数の記録紙に対して記録することが可能な構成となっている。
【０００３】
このような制御装置としては、例えば、特許文献１のように、複数の積載部を設けるようにした技術が知られている。即ち、特許文献１では、記録された記録媒体を積載するためのスタッカ（積載部）を複数用意し、所定のスタッカが満載になった場合には、他のスタッカに記録された記録媒体を積載する技術が開示されている。
【先行技術文献】
【特許文献】
【０００４】
【特許文献１】特開２０１４−１１４１０９号公報
【発明の概要】
【発明が解決しようとする課題】
【０００５】
しかしながら、特許文献１では、制御装置が普通紙と光沢紙とを保持し、これら異なる種類の記録紙に記録を行う場合、所定のスタッカが満載になるまで普通紙も光沢紙も一緒に積載されることとなる。このため、ユーザーは普通紙に記録された記録物と光沢紙に記録された記録物とを分別しなければならず、こうした処理がユーザーにとって負担となっていた。
【０００６】
本発明は、上記課題に鑑みてなされたものであり、記録媒体の種類に基づく記録物の分別処理におけるユーザーの負担が軽減される制御装置および制御方法を提供することを目的とする。
【課題を解決するための手段】
【０００７】
上記目的を達成するために、本発明による制御装置は、いずれかの積載部に排出される記録媒体が、第１の種類の記録媒体と、前記第１の種類の記録媒体と材質が少なくとも異なる第２の種類の記録媒体かを特定する特定手段と、前記いずれかの積載部に排出される記録媒体が、前記第１の種類の記録媒体であると特定されたことに基づいて、前記いずれかの積載部に排出される記録媒体が、記録が行われた前記第１の種類の記録媒体を積載可能な第１の積載部に排出されるように制御し、前記いずれかの積載部に排出される記録媒体が、前記第２の種類の記録媒体であると特定されたことに基づいて、前記いずれかの積載部に排出される記録媒体が、記録が行われた前記第２の種類の記録媒体を積載可能な第２の積載部に排出されるように制御する積載制御手段を有することを特徴とする。
【０００８】
また、本発明による制御装置は、第１の種類の記録媒体に対する記録と、前記第１の種類と材質が少なくとも異なる第２の種類の記録媒体に対する記録の両方を実行するための１つの記録ジョブを制御する制御装置であって、前記１つの記録ジョブによって記録される前記第１の種類の記録媒体が、記録が行われた前記第１の種類の記録媒体を積載可能な第１の積載部に排出されるように制御し、前記１つの記録ジョブによって記録される前記第２の種類の記録媒体が、記録が行われた前記第２の種類の記録媒体を積載可能な第２の積載部に排出されるように制御する積載制御手段を有することを特徴とする。
【発明の効果】
【０００９】
本発明によれば、記録媒体の種類に基づく記録物の分別処理におけるユーザーの負担が軽減されるようになる。
【図面の簡単な説明】
【００１０】
【図１】本発明による制御装置の概略構成図。
【図２】図１の記録装置の制御系のブロック構成図。
【図３】図１の記録装置における制御部の機能的構成を示すブロック図。
【図４】記録処理の詳細な処理内容を示すフローチャート。
【図５】第１の処理の詳細な処理内容を示すフローチャート。
【図６】第２の処理の詳細な処理内容を示すフローチャート。
【図７】第３の処理の詳細な処理内容を示すフローチャート。
【図８】本発明による制御装置の変形例の概略構成図。
【図９】本発明による制御装置の変形例の概略構成図。
【図１０】第４の処理の詳細な処理内容を示すフローチャート。
【図１１】通知処理の詳細な処理内容を示すフローチャート。
【図１２】図９の記録装置における制御部の機能的構成の一例を示すブロック図。
【発明を実施するための形態】
【００１１】
以下、添付の図面を参照しながら、本発明による制御装置および制御方法の一例を詳細に説明するものとする。なお、以下の実施形態に記載されている構成要素はあくまで例示であり、本発明の範囲をそれらのみに限定する趣旨のものではない。
【００１２】
ここで、図１には、本発明による制御装置の概略構成図が示されている。なお、本実施形態では、本発明による制御装置が記録装置であるものとする。図１（ａ）には、一方のスタック部に記録媒体が排出された状態が示され、図１（ｂ）には、他方のスタック部に記録媒体が排出された状態が示されている。図２には、図１の記録装置の制御系のブロック構成図が示されている。
【００１３】
この図１に示す記録装置１０は、長尺のシート状の記録紙がロール状に巻き回されて形成されたロール紙を記録媒体Ｍとして保持する２つの保持部１２、１４を有している。また、記録装置１０は、保持部１２、１４に保持されたロール紙をそれぞれ巻き解いて、シート状の記録紙（記録媒体Ｍ）を給送する給送部１６を有している。さらに、記録装置１０は、給送部１６を介して給送された記録媒体Ｍを搬送し、当該記録媒体Ｍに対してインクジェット方式によりインクを吐出して記録を行う記録部１８と、記録部１８で記録された記録媒体Ｍを排出する排出部２０とを有している。なお、記録部１８による記録方式は、記録剤としてインクを記録媒体に付与して記録を行うインクジェット方式に限定されず、例えば、記録剤としてトナーを記録媒体に付与して記録を行う電子写真方式であってもよい。さらにまた、記録装置１０は、排出部２０から排出された記録媒体Ｍを積載可能な積載部２２を有している。なお、こうした記録装置１０の全体の動作については、制御部２３により制御されている。また、図１に示す記録装置１０としては、例えば、大判の記録媒体に対する記録を行うラージフォーマットプリンタとする。なお、本発明を適用可能な制御装置は、プリンタ（記録装置）であってもよいし、プリンタに対して別途装着されるスタッカー（積載部）を含む装置等であってもよい。
【００１４】
より詳細には、保持部１２、１４では、それぞれ異なる種類のロール紙が保持され、本実施形態では、保持部１２には光沢紙ＧＰによるロール紙が保持され、保持部１４には普通紙ＰＰによるロール紙が保持されることとなる。なお、光沢紙ＧＰ（第１の種類の記録媒体）とは、普通紙ＰＰとは紙種・材質が異なる記録紙である。光沢紙の特徴として、インクジェット記録装置において、普通紙ＰＰ（第２の種類の記録媒体）よりも高品位に記録することが可能な記録紙である一方で、普通紙よりも、インクの定着が遅いという特徴がある。なお、本実施形態では、第１の種類の記録媒体が光沢紙、第２の種類の記録媒体が普通紙であるものとしたが、この形態に限定されず、それぞれ紙種・材質が少なくとも異なる記録媒体であれば、どのような記録媒体であってもよい。
【００１５】
保持部１２、１４に保持されたロール紙はそれぞれ、給送部１６により巻き解かれて給送される。なお、本実施形態では、保持部を２つ備えるようにしたが、保持部の数はこれに限定されるものではなく、３つ以上備えるようにしてもよい。
【００１６】
給送部１６は、保持部１２から巻き解かれた記録媒体Ｍまたは保持部１４から巻き解かれた記録媒体Ｍを選択的に給送する。即ち、給送部１６では、記録ジョブを処理する制御部２３の制御に基づいて、保持部１２に保持された光沢紙ＧＰまたは保持部１４に保持された普通紙ＰＰのどちらか一方が、当該記録ジョブによる記録対象として記録部１８により記録可能な位置まで給送される。
【００１７】
記録部１８は、記録可能な位置まで給送された記録媒体Ｍを搬送するとともに、当該記録媒体Ｍに対してインクを吐出して所定の記録を行う。なお、記録部１８は、インクを吐出して記録を行う記録ヘッド（不図示）を備えており、この記録ヘッドについては、記録媒体Ｍの搬送方向と交差（例えば、直交）する方向に走査しながら、記録媒体Ｍにインクを吐出する。記録ヘッドについては、こうした構成に限定されるものではなく、固定的に設けられ、インクを吐出する吐出口列が、記録可能な記録媒体Ｍの幅をカバーする長さを有する構成としてもよい。即ち、本実施形態では、記録装置１０は、シリアルプリンタでもよいし、ラインプリンタでもよい。なお、本実施形態では、給送部１６と、記録部１８と、給送部１６および記録部１８を制御する制御部２３とが、保持部１２、１４に保持された光沢紙ＧＰおよび普通紙ＰＰに対して選択的に記録を行う記録手段として機能することとなる。
【００１８】
排出部２０は、記録部１８で記録された記録媒体Ｍを排出するための排出ローラ対（不図示）を備えている。なお、排出ローラ対は、例えば、排出ローラ（不図示）および排出ローラに当接して従動する拍車（不図示）により構成されている。
【００１９】
積載部２２は、記録媒体Ｍを積載可能な２つのスタック部２４ａ、２４ｂを備えている。なお、記録装置１０は、記録部１８において記録した記録媒体をカットするカッタ（不図示）を備えており、これにより、記録後の記録媒体Ｍは所定の位置でカットされてスタック部２４ａ、２４ｂに積載されることとなる。本実施形態では、スタック部の数は保持部の数に対応している。また、積載部２２（積載手段）は、スタック部２４ａ（第１の積載部）またはスタック部２４ｂ（第２の積載部）に、排出部２０から排出される記録媒体Ｍを積載（載置）可能なように、スタック部２４ａ、２４ｂを移動させる移動機構（不図示）を備えている。
【００２０】
即ち、記録媒体Ｍとして普通紙ＰＰが用いられる場合には、図１（ａ）のように、スタック部２４ａ、２４ｂを移動することとなる。具体的には、制御部２３により移動機構を制御し、排出部２０から排出される普通紙ＰＰを積載可能な位置までスタック部２４ｂを移動する。そしてそれとともに、当該普通紙ＰＰに接触しない（排出される当該普通紙ＰＰが積載されない）位置までスタック部２４ａを移動する。また、記録媒体Ｍとして光沢紙ＧＰが用いられる場合には、図１（ｂ）のように、スタック部２４ａ、２４ｂを移動することとなる。具体的には、制御部２３により移動機構を制御し、排出部２０から排出される光沢紙ＧＰを積載可能な位置までスタック部２４ａを移動する。そしてそれとともに、当該光沢紙ＧＰに接触しない（排出される当該光沢紙ＧＰが積載されない）位置までスタック部２４ｂを移動する。
【００２１】
記録装置１０は、制御部２３により全体の動作が制御されている。制御部２３は、図２のように、中央処理装置（ＣＰＵ）１０２と、ＲＯＭ１０４と、ＲＡＭ１０６とを備えている。ＣＰＵ１０２では、記録動作などの各種の制御処理が実行される。このＣＰＵ１０２には、全体の動作や種々の処理を実行するための所定のプログラムを格納したＲＯＭ１０４と、ＣＰＵ１０２によるプログラム実行時に必要な各種のレジスタなどが設定されたワーキングエリアとしてのＲＡＭ１０６とが接続されている。
【００２２】
また、ＣＰＵ１０２には、記録制御部１０８が接続される。これにより、記録装置１０では、制御部２３が記録制御部１０８を介して記録部１８を制御して、記録媒体Ｍに対する記録が行われる。ＣＰＵ１０２には、給送制御部１１０が接続される。これにより、記録装置１０では、制御部２３が給送制御部１１０を介して給送部１６を制御し、保持部１２、１４に保持された記録媒体Ｍの一方が記録可能な位置まで給送される。ＣＰＵ１０２には、排出制御部１１２が接続される。これにより、記録装置１０では、制御部２３が排出制御部１１２を介して、排出部２０および積載部２２を制御する。即ち、排出部２０では、排出ローラの駆動を制御して積載部２２へ記録媒体Ｍを排出する。また、積載部２２では、移動機構の駆動を制御して、排出部２０から排出される記録媒体Ｍをスタック部２４ａ、２４ｂのどちらか一方に積載可能な状態とされる。
【００２３】
さらに、ＣＰＵ１０２には、記録装置１０を操作するための操作部１１４が接続されており、この操作部１１４には、各種操作キー（不図示）とともに表示装置１１６が設けられている。なお、表示装置１１６については、操作部１１４とは独立して設けられるようにしてもよい。ＣＰＵ１０２には、Ｉ／Ｆ１１８が接続されている。そして、このＩ／Ｆ１１８を介して、例えば、汎用のパーソナルコンピュータよりなるホスト装置１２０などが接続され、記録画像などの種々の情報がホスト装置１２０から記録装置１０に出力される。
【００２４】
ここで、図３を参照しながら、制御部２３の機能的構成について説明する。ここで、図３には、制御部２３の機能的構成を示すブロック図が示されている。制御部２３は、記録制御部１０８を介する記録部１８の制御などの各種公知の構成を備える。さらに、それらに加えて、制御部２３は、記録ジョブ（印刷ジョブ）が入力されると後述する記録処理（印刷処理）が開始され、当該記録処理が開始された時点で記録動作が行われているか否かの判断を行う第１の判断部３０を備えている。ここで、記録処理は、記録ジョブの入力がトリガとなって開始される。以下の説明においては、記録処理の開始の際に入力される記録ジョブを、「第１記録ジョブ」と適宜に称する。従って、第１の判断部３０では、第１記録ジョブが入力される前に入力された記録ジョブ（以下、「第１記録ジョブが入力される前に入力された記録ジョブ」を、「第２記録ジョブ」と適宜に称する。）による記録動作中か否かの判断を行う。
【００２５】
また、制御部２３は、第１の判断部３０において記録動作中であると判断された際に、当該記録動作において光沢紙ＧＰへの記録が行われているか否かを判断する第２の判断部３２備えている。即ち、第２の判断部３２では、第２記録ジョブに基づいて、動作中の記録において光沢紙ＧＰへの記録が行われているのか、あるいは、普通紙ＰＰへの記録が行われているのかを判断することとなる。制御部２３は、さらに、第１記録ジョブによる記録では光沢紙ＧＰが用いられるか否かを判断する第３の判断部３４を備えている。即ち、第３の判断部３４では、第１記録ジョブにおいて、光沢紙ＧＰを用いた記録を行うのか、あるいは、普通紙ＰＰを用いた記録を行うのかを判断することとなる。このように、本実施形態では、第２の判断部と第３の判断部とにより、排出される記録媒体が、第１の種類の記録媒体と第２の種類の記録媒体のどちらかを特定する特定手段として機能することとなる。
【００２６】
制御部２３は、第１記録ジョブが入力された時点でなされていた記録動作が終了したか否かを判断する第４の判断部３６を備えている。即ち、第４の判断部３６では、第２記録ジョブによる記録動作が終了したか否かの判断を行うこととなる。この第４の判断部３６における判断は、例えば、排出部２０から記録媒体が排出されたことを検知するためのセンサ（不図示）の検知結果に基づいてなされる。
【００２７】
さらに、制御部２３は、第４の判断部３６において記録動作が終了したと判断された時点から、時間のカウントを開始するカウント部３８を備えている。さらにまた、制御部２３は、カウント部３８でカウントされた時間が所定時間に達したか否かを判定する判定部４０を備えている。なお、所定時間とは、光沢紙ＧＰに付与されたインクが定着する時間に応じた時間であり、使用するインクなどに基づいて、予め設定されている。また、排出制御部１１２を介してスタック部２４ａ、２４ｂの移動を制御する移動制御部４２を備えている。即ち、本実施形態では、例えば、移動制御部４２により、スタック部２４ａを光沢紙ＧＰが積載可能な状態とするとともにスタック部２４ｂを普通紙ＰＰが積載可能な状態とする積載制御手段として機能する。なお、積載制御手段としては、排出制御部１１２および移動機構のどちらか一方を含むようにしてもよいし、両方を含むようにしてもよい。
【００２８】
また、制御部２３は、記録媒体Ｍが、保持部１２および保持部１４に保持されて給送部１６により記録部１８へ給送可能な状態か否かを判断する第５の判断部４４を備えている。この第５の判断部４４によって、保持部１２に記録媒体Ｍ（光沢紙ＧＰ）が保持されて給送部１６により記録部１８へ当該記録媒体Ｍが給送可能な状態か否かを判断することができる。また、保持部１４に記録媒体Ｍ（普通紙ＰＰ）が保持されて給送部１６により記録部１８へ当該記録媒体Ｍが給送可能な状態か否かを判断することができる。  制御部２３は、また、第５の判断部４４の判断結果に基づいて、光沢紙ＧＰまたは普通紙ＰＰがセットされていない旨を、例えば、表示装置１１６を介してユーザーに通知する通知部４６を備えている。なお、例えば、操作部１１４などにスピーカーを設けて、当該スピーカーを介して音声ガイダンスを流して、ユーザーへの通知を行うようにしてもよい。なお、本実施形態では、通知部４６と表示装置１１６とにより、ユーザーに対して種々の通知を行う通知手段として機能する。
【００２９】
以上の構成において、記録装置１０では、ホスト装置１２０から記録に関する情報が入力され、当該記録に関する情報に基づく記録の開始が指示されると、当該指示に基づく記録を行うための記録処理が開始される。なお、記録に関する情報には、記録装置１０により記録画像を記録するために必要な種々の情報（記録設定情報等）が含まれており、こうした情報の一つとして、記録に用いる記録紙に関する情報が含まれている。
【００３０】
即ち、記録装置１０では、記録に関する情報などの各種情報を含む第１記録ジョブが入力されると記録処理が開始されることとなる。ここで、記録処理について、図４を参照しながら詳細に説明する。図４には、記録処理の詳細な処理内容を示すフローチャートが示されている。なお図４に示す処理は、例えば、ＣＰＵ１０２が、ＲＯＭ１０４や不図示の外部記憶装置からプログラムを読みだしてＲＡＭ１０６にロードし、そのプログラムを実行することにより実現されるものとする。この記録処理が開始されると、まず、第１の判断部３０により、記録中か否かを判断する（ステップＳ４０２）。
【００３１】
ステップＳ４０２において、記録中である、つまり、第２記録ジョブによる記録動作中であると判断されると、第２の判断部３２により、当該記録動作では光沢紙ＧＰへの記録を行っているか否かの判断を行う（ステップＳ４０４）。ステップＳ４０４において、光沢紙ＧＰへの記録を行っていると判断されると、第１の処理を行う（ステップＳ４０６）。
【００３２】
ここで、図５のフローチャートには、このステップＳ４０６における第１の処理の詳細な処理内容が示されている。なお図５に示す処理は、例えば、ＣＰＵ１０２が、ＲＯＭ１０４や不図示の外部記憶装置からプログラムを読みだしてＲＡＭ１０６にロードし、そのプログラムを実行することにより実現されるものとする。この第１の処理では、まず、第３の判断部３４により、第１記録ジョブでは光沢紙ＧＰへの記録を行うか否かを判断する（ステップＳ５０２）。ステップＳ５０２において、光沢紙ＧＰへの記録を行う、つまり、光沢紙ＧＰを用いた記録を行うと判断されると、第４の判断部３６により、第２記録ジョブによる記録動作が終了したか否かを判断する（ステップＳ５０４）。
【００３３】
ステップＳ５０４において、記録動作が終了していないと判断されると、再度ステップＳ５０４の処理を行う。即ち、第２記録ジョブによる記録が終了するまで、このステップＳ５０４の処理が繰り返し実行される。また、ステップＳ５０４において、記録動作が終了したと判断されると、カウント部３８により時間のカウントを開始し（ステップＳ５０６）、判定部４０により所定時間が経過したか否かを判断する（ステップＳ５０８）。
【００３４】
ステップＳ５０８において、所定時間が経過していないと判断されると、再度ステップＳ５０８の処理を行う。即ち、第２記録ジョブによる記録が終了した後に、所定時間が経過するまで、このステップＳ５０８の処理が繰り返し実行される。また、ステップＳ５０８において、所定時間が経過したと判断されると、第１記録ジョブによる記録を行う（ステップＳ５１０）。その後、第１記録ジョブにより記録された光沢紙ＧＰを、スタック部２４ａに積載された光沢紙ＧＰ（第２記録ジョブによる記録済み）上に排出（ステップＳ５１２）し、この第１の処理を終了して記録処理を終了する。
【００３５】
一方、ステップＳ５０２において、光沢紙ＧＰへの記録を行わない、つまり、普通紙ＰＰを用いた記録を行うと判断されると、第４の判断部３６により、第２記録ジョブによる記録動作が終了したか否かを判断する（ステップＳ５１４）。ステップＳ５１４において、記録動作が終了していないと判断されると、再度ステップＳ５１４の処理を行う。即ち、第２記録ジョブによる記録動作が終了するまで、このステップＳ５１４の処理が繰り返し実行される。また、ステップＳ５１４において、記録動作が終了したと判断されると、移動制御部４２により排出制御部１１２を介して、普通紙ＰＰをスタック部２４ｂにより積載可能な状態とする（ステップＳ５１６）。即ち、ステップＳ５１６では、スタック部２４ｂを、排出部２０から排出される普通紙ＰＰを積載可能な位置まで移動するとともに、スタック部２４ａを、当該普通紙ＰＰと接触しない位置まで移動する。なお、この処理は、例えば、第１記録ジョブによる記録と並行して行われてもよいし、第１記録ジョブによる記録の後に行われてもよい。
【００３６】
その後、第１記録ジョブによる記録を行い（ステップＳ５１８）、第１記録ジョブにより記録された普通紙ＰＰを、スタック部２４ｂに排出し（ステップＳ５２０）、この第１の処理を終了して記録処理を終了する。
【００３７】
このように、記録処理（第１の処理）では、第１記録ジョブおよび第２記録ジョブにより光沢紙ＧＰに記録を行う場合、第２記録ジョブに対応する光沢紙ＧＰと、第１記録ジョブに対応する光沢紙ＧＰとを、同一のスタック部に排出する。これにより、排出先のスタック部を切り替える時間を短縮できる。そして、第１記録ジョブにより光沢紙ＧＰに記録を行う場合、第２記録ジョブにより記録される光沢紙ＧＰへの記録終了後、所定時間を空けて第１記録ジョブによる記録を行うようにしている。これにより、第１記録ジョブにより記録された光沢紙ＧＰは、第２記録ジョブによる記録の際に吐出されたインクが定着した光沢紙ＧＰ上に積載されることとなる。
【００３８】
ところで、光沢紙ＧＰへの記録では、高品位な記録を行うために普通紙ＰＰへの記録の場合と比較してインクの吐出量が多くなることがある。このため、連続した光沢紙ＧＰへの記録がなされる場合には、光沢紙ＧＰへ吐出されたインクが定着する前に、当該光沢紙ＧＰ上に新たに記録媒体Ｍ（光沢紙ＧＰ、普通紙ＰＰ）が積載されると、当該光沢紙ＧＰにおける記録品位を損なう可能性がある。
【００３９】
上記記録処理では、記録ジョブ間における連続した光沢紙ＧＰへの記録の際に、先の記録ジョブ（第２記録ジョブ）による記録終了後、所定時間を空けて次の記録ジョブ（第１記録ジョブ）による記録を行うようにした。このため、先の記録ジョブにより記録されてスタック部２４ａに積載された光沢紙ＧＰにインクが定着した後に、当該光沢紙ＧＰ上に次の記録ジョブにより記録された光沢紙ＧＰが積載されることとなる。これにより、スタック部２４ａにおいて、光沢紙ＧＰが複数枚積載されても、各光沢紙ＧＰにおける記録品位の低下が生じ難くなる。
【００４０】
また、第１記録ジョブにより普通紙ＰＰに記録を行う場合には、第２記録ジョブにより記録された光沢紙ＧＰが積載されたスタック部２４ａとは異なるスタック部２４ｂに、記録された普通紙ＰＰが積載される。このため、第２記録ジョブによる記録動作が終了すると、直ぐに、スタック部２４ｂを普通紙ＰＰが積載可能な位置に移動するとともに、第１記録ジョブによる記録を行うこととなる。そして、光沢紙ＧＰと、普通紙ＰＰとが、別のスタック部に排出されるため、ユーザは、普通紙に記録された記録物と光沢紙に記録された記録物とを分別しなくともよくなり、利便性が向上する。
【００４１】
また、第１記録ジョブと第２記録ジョブの両方で光沢紙ＧＰに記録する場合は、インクの定着を待つための所定時間を空けて第１記録ジョブによる記録を行っていた。しかし、第１記録ジョブで普通紙ＰＰに記録し、第２記録ジョブで光沢紙ＧＰに記録する場合は、当該所定時間を空けずに記録を行う。これは、各記録物は同一のスタック部に排出されないため、インクの定着を待つ必要がないためである。これにより、第１記録ジョブで普通紙ＰＰに記録し、第２記録ジョブで光沢紙ＧＰに記録する場合は、すばやく記録を完了することができる。
【００４２】
なお上述では、所定時間を空けるタイミングは、第１記録ジョブによる記録が行われる前であったが、この形態に限定されず、前回の記録に対応する記録媒体が排出されてから、今回の記録に対応する記録媒体が排出されるまでの間のいずれのタイミングでもよい。例えば、第１記録ジョブによる記録が行われた後であり、第１記録ジョブによる記録が行われた記録物がスタック部に排出される前のタイミング等であってもよい。
【００４３】
ここで、説明は図４に戻る。ステップＳ４０４において、光沢紙ＧＰへの記録を行っていない、つまり、普通紙ＰＰへの記録を行っていると判断されると、第２の処理を行う（ステップＳ４０８）。
【００４４】
ここで、図６のフローチャートには、このステップＳ４０８における第２の処理の詳細な処理内容が示されている。なお図６に示す処理は、例えば、ＣＰＵ１０２が、ＲＯＭ１０４や不図示の外部記憶装置からプログラムを読みだしてＲＡＭ１０６にロードし、そのプログラムを実行することにより実現されるものとする。この第２の処理では、まず、第３の判断部３４により、第１記録ジョブでは光沢紙ＧＰへの記録を行うか否かを判断する（ステップＳ６０２）。ステップＳ６０２において、光沢紙ＧＰへの記録を行う、つまり、光沢紙ＧＰを用いた記録を行うと判断されると、第４の判断部３６により、第２記録ジョブによる記録動作が終了したか否かを判断する（ステップＳ６０４）。
【００４５】
ステップＳ６０４において、記録動作が終了していないと判断されると、再度ステップＳ６０４の処理を行う。即ち、第２記録ジョブによる記録が終了するまで、このステップＳ６０４の処理が繰り返し実行される。また、ステップＳ６０４において、記録動作が終了したと判断されると、移動制御部４２により排出制御部１１２を介して、光沢紙ＧＰをスタック部２４ａにより積載可能な状態とする（ステップＳ６０６）。即ち、ステップＳ６０６では、スタック部２４ａを、排出部２０から排出される光沢紙ＧＰを積載可能な位置まで移動するとともに、スタック部２４ｂを、当該光沢紙ＧＰと接触しない位置まで移動する。なお、この処理は、例えば、第１記録ジョブによる記録と並行して行われてもよいし、第１記録ジョブによる記録の後に行われてもよい。
【００４６】
その後、第１記録ジョブによる記録を行い（ステップＳ６０８）、第１記録ジョブにより記録された光沢紙ＧＰを、スタック部２４ａに排出し（ステップＳ６１０）、この第２の処理を終了して記録処理を終了する。
【００４７】
一方、ステップＳ６０２において、光沢紙ＧＰへの記録を行わない、つまり、普通紙ＰＰを用いた記録を行うと判断されると、第４の判断部３６により、記録ジョブによる記録動作が終了したか否かを判断する（ステップＳ６１２）。ステップＳ６１２において、記録動作が終了していないと判断されると、再度ステップＳ６１２の処理を行う。即ち、第２記録ジョブによる記録が終了するまで、このステップＳ６１２の処理が繰り返し実行される。また、ステップＳ６１２において、記録動作が終了したと判断されると、第１記録ジョブによる記録を行う（ステップＳ６１４）。その後、第１記録ジョブにより記録された普通紙ＰＰを、スタック部２４ｂに排出し（ステップＳ６１６）、この第２の処理を終了して記録処理を終了する。
【００４８】
このように、記録処理（第２の処理）では、第１記録ジョブおよび第２記録ジョブにより普通紙ＰＰに記録を行う場合、第２記録ジョブに対応する普通紙ＰＰと、第１記録ジョブに対応する普通紙ＰＰとを、同一のスタック部に排出する。これにより、排出先のスタック部を切り替える時間を短縮できる。
【００４９】
また、上述したように第１記録ジョブと第２記録ジョブの両方で光沢紙ＧＰに記録する場合は、インクの定着を待つための所定時間を空けて第１記録ジョブによる記録を行っていた。しかし、第１記録ジョブと第２記録ジョブの両方で普通紙ＰＰに記録する場合、及び、第１記録ジョブで普通紙ＰＰに記録し、第２記録ジョブで光沢紙ＧＰに記録する場合は、当該所定時間を空けずに記録を行う。普通紙ＰＰ対して吐出されたインクは、定着のためにかかる時間が短いためである。これにより、第１記録ジョブで普通紙ＰＰに記録し、第２記録ジョブで光沢紙ＧＰに記録する場合は、すばやく記録を完了することができる。
【００５０】
ここで、説明は図４に戻る。ステップＳ４０２において、記録中でない、つまり、第２記録ジョブによる記録動作中でないと判断されると、第３の処理を行う（ステップＳ４１０）。ここで、図７のフローチャートには、このステップＳ４１０における第３の処理の詳細な処理内容が示されている。なお図７に示す処理は、例えば、ＣＰＵ１０２が、ＲＯＭ１０４や不図示の外部記憶装置からプログラムを読みだしてＲＡＭ１０６にロードし、そのプログラムを実行することにより実現されるものとする。この第３の処理では、まず、第３の判断部３４により、第１記録ジョブでは光沢紙ＧＰへの記録を行うか否かの判断を行う（ステップＳ７０２）。ステップＳ７０２において、光沢紙ＧＰへの記録を行う、つまり、光沢紙ＧＰを用いた記録を行うと判断されると、第５の判断部４４により、光沢紙ＧＰがセットされているか否かを判断する（ステップＳ７０４）。
【００５１】
ステップＳ７０４において、光沢紙ＧＰがセットされている、つまり、光沢紙ＧＰが給送可能な状態であると判断されると、移動制御部４２により排出制御部１１２を介して、光沢紙ＧＰをスタック部２４ａにより積載可能な状態とする（ステップＳ７０６）。ステップＳ７０６は、ステップＳ６０６と同様の処理のため説明を省略する。なお、ステップＳ７０６の処理の際に、既に、スタック部２４ａが光沢紙ＧＰを積載可能な状態であれば、この処理は省略される。また、この処理は、例えば、第１記録ジョブによる記録と並行して行われてもよいし、第１記録ジョブによる記録の後に行われてもよい。その後、第１記録ジョブによる記録を行い（ステップＳ７０８）、第１記録ジョブにより記録した光沢紙ＧＰをスタック部２４ａに排出し（ステップＳ７１０）、この第３の処理を終了して記録処理を終了する。
【００５２】
一方、ステップＳ７０４において、光沢紙ＧＰがセットされていない、つまり、光沢紙ＧＰが給送可能な状態でないと判断されると、通知部４６により、光沢紙ＧＰがセットされていない旨を通知し（ステップＳ７１２）、第３の処理を終了して記録処理を終了する。
【００５３】
また、ステップＳ７０２において、光沢紙ＧＰへの記録を行わない、つまり、普通紙ＰＰを用いた記録を行うと判断されると、第５の判断部４４により、普通紙ＰＰがセットされているか否かの判断を行う（ステップＳ７１４）。
【００５４】
ステップＳ７１４において、普通紙ＰＰがセットされている、つまり、普通紙ＰＰが供給可能な状態であると判断されると、移動制御部４２により排出制御部１１２を介して、普通紙ＰＰをスタック部２４ｂにより積載可能な状態とする（ステップＳ７１６）。ステップＳ７１６は、ステップＳ５１６と同様の処理のため説明を省略する。なお、ステップＳ７１６の処理の際に、既に、スタック部２４ｂが普通紙ＰＰを積載可能な状態であれば、この処理は省略される。また、この処理は、例えば、第１記録ジョブによる記録と並行して行われてもよいし、第１記録ジョブによる記録の後に行われてもよい。その後、第１記録ジョブによる記録を行い（ステップＳ７１８）、第１記録ジョブにより記録した普通紙ＰＰをスタック部２４ｂに排出し（ステップＳ７２０）、この第３の処理を終了して記録処理を終了する。
【００５５】
一方、ステップＳ７１４において、普通紙ＰＰがセットされていない、つまり、普通紙ＰＰが給送可能な状態でないと判断されると、通知部４６により、普通紙ＰＰがセットされていない旨を通知する（ステップＳ７２２）。そして、第３の処理を終了して記録処理を終了する。
【００５６】
なお、ステップＳ７０４およびステップＳ７１４における、記録に用いる記録媒体がセットされているかどうかの確認は、第３の処理だけでなく、第１の処理や第２の処理においても、記録前に実行されてもよい。
【００５７】
以上において説明したように、記録装置１０では、記録ジョブに基づいて選択的に異なる記録媒体Ｍ（光沢紙ＧＰ、普通紙ＰＰ）への記録を行うとともに、記録済みの記録媒体を、記録媒体Ｍの種類に応じて異なるスタック部に積載するようにした。これにより、記録済みの記録媒体Ｍを、その種類に応じてユーザーが分別する手間が省け、作業時間が短縮され、記録後の作業を効率的に行うことができる。
【００５８】
また、第１記録ジョブが入力された際に、第２記録ジョブに基づく光沢紙ＧＰへの記録を行っていると、第２記録ジョブによる記録が終了して所定時間が経過した後に、第１記録ジョブによる記録を行うようにした。これにより、記録装置１０では、第２記録ジョブにより記録されてスタック部２４ａに積載された光沢紙ＧＰにおいてインクが定着した後に、当該光沢紙ＧＰ上に、第１記録ジョブにより記録された光沢紙ＧＰが積載されることとなる。このため、記録された光沢紙ＧＰは記録品位が損なわれ難くなる。
【００５９】
なお、上記した実施の形態は、以下の（１）乃至（７）に示すように変形するようにしてもよい。
【００６０】
（１）上記実施形態では、特に記載しなかったが、光沢紙ＧＰを積載可能なスタック部２４ａに、図８のように、ヒータ５０を設けるようにしてもよい。なお、ヒータ５０については、スタック部２４ａにおいて、光沢紙ＧＰと当接可能な面の、一部の領域のみに設けるようにしてもよいし、全面に設けるようにしてもよい。
【００６１】
上記したように、光沢紙ＧＰは、記録後にインクを定着させるための時間を要する場合がある。この場合、光沢紙ＧＰをスタック部２４ａから回収する際には、光沢紙ＧＰにインクが定着した後に回収する必要がある。これに対して、スタック部２４ａにヒータ５０を設けることで、スタック部２４ａ積載される光沢紙ＧＰを加熱してインクの定着を促進させて、光沢紙ＧＰへのインクの定着時間を短縮することができる。これにより、スタック部２４ａに記録済みの光沢紙ＧＰが積載されてから回収するまでの時間を短縮することができ、作業性が向上する。また、記録処理では、判定部４０における判定基準となる所定時間を短く設定することができ、記録品位を確保しながら、効率的に記録を行うことができるようになる。
【００６２】
（２）上記実施形態では、光沢紙ＧＰを積載するスタック部２４ａと、普通紙ＰＰを積載するスタック部２４ｂとを、それぞれ１つずつ設けるようにしたが、これに限定されるものではない。即ち、光沢紙ＧＰを積載するスタック部２４ａを、複数設けるようにしてもよい。例えば、図９（ａ）のように、積載部２２において、普通紙ＰＰを積載するスタック部２４ｂとともに、光沢紙ＧＰを積載するスタック部２４ａを３つ（スタック部２４ａ−１、２４ａ−２、２４ａ−３）設けるようにしてもよい。なお、光沢紙ＧＰを積載するスタック部２４ａの数については、３つに限定されるものではなく、２つ、または、４つ以上としてもよい。
【００６３】
この場合において、第１の処理のステップＳ５０４において第２記録ジョブによる記録動作が終了したと判断されるとする。すると、当該記録動作によって記録された光沢紙ＧＰが積載されていないスタック部２４ａに第１記録ジョブにより記録される光沢紙ＧＰが積載可能な状態とする。具体的には、第２記録ジョブにより記録された光沢紙ＧＰがスタック部２４ａ−１に積載されたとすると、第１記録ジョブにより記録されて排出部２０から排出される光沢紙ＧＰを、スタック部２４ａ−２またはスタック部２４ａ−３に積載可能な状態とする。その後、ステップＳ５１０に進み、第１記録ジョブによる記録を行うこととなる。これにより、第１記録ジョブにより記録された光沢紙ＧＰが、第２記録ジョブにより記録された光沢紙ＧＰ上に載置される頻度が少なくなって、各光沢紙ＧＰにおける記録品位がより損なわれ難くなる。
【００６４】
なお、この場合には、例えば、スタック部２４ａ−１、２４ａ−２、２４ａ−３の移動および記録ジョブによる記録に並行して、時間のカウントの開始および所定時間が経過したか否かの判定を実行するようにしてもよい。これにより、例えば、移動時間および記録時間の合計時間が、所定時間よりも短い場合には、インク定着前の光沢紙ＧＰ上に、記録済みの光沢紙ＧＰを積載することがなくなり、記録品位の低下をより確実に抑制する。
【００６５】
また、図９（ｂ）のように、複数から構成されるスタック部２４ａ（図９（ｂ）では、３つのスタック部２４ａ−１、２４ａ−２、２４ａ−３）にそれぞれ、光沢紙ＧＰの有無を検知可能なセンサ５２（検知手段）を設けるようにしてもよい。この場合、記録処理におけるステップＳ４０６では、第４の処理が実行される。
【００６６】
ここで、第４の処理について、図１０を参照しながら詳細に説明する。図１０には、第４の処理の詳細な処理内容を示すフローチャートが示されている。この第４の処理が開始されると、まず、第３の判断部３４により、第１記録ジョブでは光沢紙ＧＰへの記録を行うか否かを判断する（ステップＳ１００２）。ステップＳ１００２において、光沢紙ＧＰへの記録を行わない、つまり、普通紙ＰＰを用いた記録を行うと判断されると、記録動作が終了したか否かの判断を行い（ステップＳ１００４）、終了していないと判断されると、再度ステップＳ１００４の処理を行う。また、終了した判断されると、普通紙ＰＰをスタック部２４ｂに積載可能な状態とする（ステップＳ１００６）。その後、記録ジョブによる記録を行い（ステップＳ１００８）、記録した普通紙ＰＰをスタック部２４ｂに排出し（ステップＳ１０１０）、この第４の処理を終了して記録処理を終了する。なお、上記ステップＳ１００２〜Ｓ１０１０については、第１の処理におけるステップＳ５０２、Ｓ５１４〜Ｓ５２０と同様の処理となっている。
【００６７】
一方、ステップＳ１００２において、光沢紙ＧＰへの記録を行う、つまり、光沢紙ＧＰを用いた記録を行うと判断されると、第４の判断部３６により、第２記録ジョブによる記録動作が終了したか否かの判断を行う（ステップＳ１０１２）。ステップＳ１０１２において、記録動作が終了していないと判断されると、再度ステップＳ１０１２の処理を行う。また、ステップＳ１０１２において記録動作が終了したと判断されると、通知処理を行う（ステップＳ１０１４）。
【００６８】
ここで、図１１のフローチャートには、このステップＳ１０１４における通知処理の詳細な処理内容が示されている。この通知処理では、まず、ステップＳ１０１２において記録動作が終了したと判断されたタイミングで、カウント部３８により時間のカウントを開始し（ステップＳ１１０２）、判定部４０により、所定時間が経過したか否かの判定を行う（ステップＳ１１０４）。ステップＳ１１０２、Ｓ１１０４はそれぞれ、ステップＳ５０６、Ｓ５０８と同様の処理となっている。
【００６９】
ステップＳ１１０４において、所定時間が経過していないと判定されると、再度ステップＳ１１０４の処理を行う。また、ステップＳ１１０４において、所定時間が経過したと判定されると、通知部４６により、ユーザーに対して記録された光沢紙ＧＰの回収を促す通知を行い（ステップＳ１１０６）、ステップＳ１０１６に進む。即ち、ステップＳ１１０６では、例えば、通知部４６により、表示装置１１６に、光沢紙ＧＰの回収を指示する旨の表示を行うとともに、当該光沢紙ＧＰが積載されているスタック部２４ａを特定する情報を表示する。
【００７０】
通知処理が終了すると、光沢紙ＧＰが積載されていないスタック部２４ａに光沢紙ＧＰを積載可能な状態とする（ステップＳ１０１６）。即ち、ステップＳ１０１６では、センサ５２において光沢紙ＧＰを検知していないスタック部２４ａに光沢紙ＧＰを積載可能な状態とする。例えば、スタック部２４ａ−１、２４ａ−２、２４ａ−３のいずれにおいてもセンサ５２により光沢紙ＧＰを検知していないとすると、排出部２０から排出される光沢紙ＧＰを積載可能な位置まで、例えば、スタック部２４ａ−１を移動する。また、排出部２０から排出される光沢紙ＧＰに接触しない位置までスタック部２４ａ−２、２４ａ−３を移動することとなる。なお、スタック部２４ａ−１、２４ａ−２、２４ａ−３の全てにおいてセンサ５２により光沢紙ＧＰを検知しているときには、例えば、表示装置１１６に表示された表意内容を強調して表示する。あるいは、光沢紙ＧＰを至急回収するように指示する旨の表示を行う。
【００７１】
その後、第１記録ジョブによる記録を行い（ステップＳ１０１８）、記録した光沢紙ＧＰをスタック部２４ａに排出し（ステップＳ１０２０）、この第４の処理を終了して記録処理を終了する。なお、ステップＳ１０１８、Ｓ１０２０は、ステップＳ５１０、Ｓ５１２と同様の処理となっている。
【００７２】
この第４の処理により、スタック部２４ａ−１、２４ａ−２、２４ａ−３では、複数の光沢紙ＧＰが積載されることがなくなる。これにより、所定の光沢紙ＧＰ上に積載される光沢紙ＧＰによる所定の光沢紙ＧＰの記録面への傷の発生などを抑制することができ、より確実に記録品位の低下を抑制することができるようになる。
【００７３】
また、図９（ｂ）のように、センサ５２を備えた構成の場合には、第２の処理では、ステップＳ６０６において、光沢紙ＧＰが積載されたスタック部２４ａ以外のスタック部２４ａに光沢紙ＧＰを積載可能な状態とすることになる。即ち、第２記録ジョブによる記録動作によりスタック部２４ａ−１に光沢紙ＧＰが積載された際には、ステップＳ６０６では、スタック部２４ａ−２またはスタック部２４ａ−３に、第１記録ジョブによる記録される光沢紙ＧＰを積載可能な状態とする。また、第３の処理では、ステップＳ７０６において、光沢紙ＧＰが積載されていないスタック部２４ａ−１、２４ａ−２、２４ａ−３のいずれか１つに、第１記録ジョブにより記録される光沢紙ＧＰを積載可能な状態とすることとなる。
【００７４】
なお、上記第４の処理では、作業性の向上などを目的として、スタック部２４ａ−１、２４ａ−２、２４ａ−３に複数の光沢紙ＧＰを積載するようにしてもよい。この場合には、図１２のように、制御部２３では、各スタック部２４ａにおいて光沢紙ＧＰが積載された時点からの経過時間を計測する計測部４８（計測手段）を備えるようにする。なお、各スタック部２４ａにおいて光沢紙ＧＰが接触された時点とは、センサ５２により光沢紙ＧＰの存在を検知して時点である。
【００７５】
即ち、この場合には、スタック部２４ａ−１、２４ａ−２、２４ａ−３において、光沢紙ＧＰが一定時間回収されない場合には、ステップＳ１０１６からステップＳ１０１８の処理に進むようにする。つまり、ステップＳ１０１４の通知処理後に、光沢紙ＧＰが積載されていないスタック部２４ａが存在するか否かの判断を行う。この判断処理において、存在すると判断されると、ステップＳ１０１６の処理に進む。また、この判断処理において、存在しないと判断されると、計測部４８の計測結果に基づいて、記録された光沢紙ＧＰが積載されてから所定時間が経過したスタック部２４ａが存在するか否かの判断を行う。この判断処理において、存在しないと判断されると、再度この判断処理を実行する。また、存在すると判断されると、光沢紙ＧＰが積載されてから所定時間が経過したスタック部２４ａを、光沢紙ＧＰが積載可能な状態とし、その後、ステップＳ１０１８の処理に進む。
【００７６】
例えば、スタック部２４ａ−１、２４ａ−２では光沢紙ＧＰが積載されてから所定時間が経過し、スタック部２４ａ−３では光沢紙ＧＰが積載されてから所定時間が経過していないとすると、例えば、スタック部２４ａ−１を光沢紙ＧＰが積載可能な状態とする。なお、このとき、例えば、スタック部２４ａ−１、２４ａ−２のうち、光沢紙ＧＰが積載されてから経過した時間が長い一方を、光沢紙ＧＰが積載可能な状態としてもよい。
【００７７】
また、上記第４の処理では、スタック部２４ａを移動して、記録ジョブに基づいて記録を行う処理と、通知処理とを、並行して実行するようにしてもよい。
【００７８】
（３）上記実施形態では、積載部２２においてスタック部２４ａ、２４ｂが移動可能な構成とすることにより、排出部２０から排出される記録媒体Ｍを、スタック部２４ａ、２４ｂの一方に選択的に積載するようにしたが、これに限られるものではない。即ち、積載部２２では、スタック部２４ａ、２４ｂが固定的に設けられ、排出部２０から排出される記録媒体Ｍ（光沢紙ＧＰ、普通紙ＰＰ）をスタック部２４ａまたはスタック部２４ｂに選択的に排出可能な排出経路（積載制御手段）を備えるようにしてもよい。
【００７９】
（４）上記実施形態では、記録装置１０をラージフォーマットプリンタとしたが、これに限定されるものではなく、比較的小さい記録媒体に記録を行う記録装置でもよい。また、記録装置１０では、記録媒体Ｍたる光沢紙ＧＰや普通紙ＰＰをロール状にしたロール紙を保持する構成としたが、これに限定されるものではない。即ち、定型サイズのシート状の光沢紙ＧＰおよび普通紙ＰＰを異なるカセットなどの収容部に収容し、当該収容部から光沢紙ＧＰおよび普通紙ＰＰが記録部１８まで給送される構成としてもよい。さらに、記録装置１０では、記録媒体Ｍとして光沢紙ＧＰと普通紙ＰＰとに記録を行うようにしたが、これに限定されるものではなく、特性の異なる２つの記録媒体Ｍに対して記録可能な構成としてもよい。また、記録装置１０としては、インクジェット記録装置により記録を行うインクジェット記録装置に限定されるものではなく、公知の技術により記録を行う記録装置としてもよい。
【００８０】
（５）上記実施形態では、スタック部２４ａ、２４ｂに記録媒体Ｍを積載可能な状態とした後に、第１記録ジョブによる記録を行うようにしたが、これに限定されるものではない。即ち、スタック部２４ａ、２４ｂを移動する時間が、記録媒体Ｍたる光沢紙ＧＰまたは普通紙ＰＰが記録されて排出部２０から排出されるまでの時間よりも短ければ、スタック部２４ａ、２４ｂの移動と同時に、第１記録ジョブによる記録を行うようにしてもよい。
【００８１】
（６）上記実施形態では、特に記載しなかったが、第１記録ジョブ（第２記録ジョブ）による記録において複数の光沢紙ＧＰへ記録するときにも、所定の光沢紙ＧＰへの記録終了後、所定時間を空けて次の光沢紙ＧＰへの記録を行うようにしてもよい。
【００８２】
（７）上記実施形態では、ジョブ毎に、記録の対象となる記録媒体の種類が異なる形態を説明したが、例えば、１つの記録ジョブによって、それぞれ種類が異なる複数の記録媒体に、記録が行われる形態であってもよい。その場合、上述における第１記録ジョブと第２記録ジョブを、第１記録物と第２記録物として扱い、記録物毎に排出先が制御される形態とする。すなわち、この形態では、１つのジョブによって記録される複数の記録物が、それぞれ記録媒体の種類ごとに異なる排出先に排出される。
【符号の説明】
【００８３】
１０  記録装置
２２  積載部
２４ａ、２４ｂ  スタック部
３４  第３の判断部
４２  移動制御部
【図１】
2019085243.tif 000003
【図２】
2019085243.tif 000004
【図３】
2019085243.tif 000005
【図４】
2019085243.tif 000006
【図５】
2019085243.tif 000007
【図６】
2019085243.tif 000008
【図７】
2019085243.tif 000009
【図８】
2019085243.tif 000010
【図９】
2019085243.tif 000011
【図１０】
2019085243.tif 000012
【図１１】
2019085243.tif 000013
【図１２】
2019085243.tif 000014